【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
遊技機近傍に備えられた情報を表示する情報表示部と、
会員属性記憶媒体から会員属性情報を読取る会員情報読取部と、
登録された会員属性と会員に関する情報を記憶する会員情報記憶部と、
広告情報と広告主がターゲットとする広告対象属性と広告効果実績を記憶する広告情報記憶部と、
前記遊技機と前記情報表示部と前記会員情報読取部に接続され、前記会員情報記憶部と広告情報記憶部と制御部を備えた管理コンピュータと、
から構成され、
前記制御部は、前記遊技機で会員が遊技を開始したことを検知し、前記会員情報読取部から前記遊技機で遊技する前記会員属性情報を収集し、前記広告情報記憶部に記録された前記広告対象属性情報と前記会員属性情報が一致した場合に、前記遊技機に設けられた前記情報表示部に前記広告情報を表示すること、
を特徴とし、
前記管理コンピュータには、さらに会員が景品を交換する景品交換機が接続され、
前記管理コンピュータは、前記景品交換機から会員番号と会員が交換した景品情報を収集し、交換した景品とその景品数及び交換日を記憶する景品交換実績が記憶されていること、
を特徴とし、
前記制御部では、前記会員情報記憶部に記憶されている前記広告表示実績から過去に会員に表示した複数の広告情報の各広告情報の表示回数と、前記会員情報記憶部に記憶されている景品交換実績から、表示した広告情報の回数に対して交換実績の比率を計算してフィードバックし、交換実績の比率が高い広告情報の表示回数を増加させて優先的に表示すること、
を特徴とする広告情報提供システム。
【請求項２】
遊技機近傍に備えられた情報を表示する情報表示部と、
会員属性記憶媒体から会員属性情報を読取る会員情報読取部と、
登録された会員属性と会員に関する情報を記憶する会員情報記憶部と、
広告情報と広告主がターゲットとする広告対象属性と広告効果実績を記憶する広告情報記憶部と、
前記遊技機と前記情報表示部と前記会員情報読取部に接続され、前記会員情報記憶部と広告情報記憶部と制御部を備えた管理コンピュータと、
から構成され、
前記制御部は、前記遊技機で会員が遊技を開始したことを検知し、前記会員情報読取部から前記遊技機で遊技する前記会員属性情報を収集し、前記広告情報記憶部に記録された前記広告対象属性情報と前記会員属性情報が一致した場合に、前記遊技機に設けられた前記情報表示部に前記広告情報を表示すること、
を特徴し、
前記管理コンピュータには、さらに会員が景品を交換する景品交換機が接続され、
前記管理コンピュータは、前記景品交換機から会員番号と会員が交換した景品情報を収集し、交換した景品とその景品数及び交換日を記憶する景品交換実績が記憶されていること、
を特徴とし、
前記制御部では、前記会員情報記憶部に記憶されている前記広告表示実績から過去に会員に表示した複数の広告情報の各広告情報の表示回数と、前記会員情報記憶部に記憶されている景品交換実績から、表示した広告情報の回数に対して交換実績の比率を計算し、交換実績の比率が相対的に低い広告情報の表示回数を増加させて優先的に表示すること、
を特徴とする広告情報提供システム。
【請求項３】
交換実績の比率が相対的に低い広告情報の表示回数を増加させた後の予め定められた一定期間に、前記広告情報に関連した景品の交換実績が向上しない場合は、広告主の指定する広告期間であっても当該会員に対しての前記広告情報の表示を取りやめること、
を特徴とする請求項２に記載の広告情報提供システム。
【請求項４】
遊技機近傍に備えられた情報を表示する情報表示部と、
会員属性記憶媒体から会員属性情報を読取る会員情報読取部と、
登録された会員属性と会員に関する情報を記憶する会員情報記憶部と、
広告情報と広告主がターゲットとする広告対象属性と広告効果実績を記憶する広告情報記憶部と、
前記遊技機と前記情報表示部と前記会員情報読取部に接続され、前記会員情報記憶部と広告情報記憶部と制御部を備えた管理コンピュータと、
から構成され、
前記制御部は、前記遊技機で会員が遊技を開始したことを検知し、前記会員情報読取部から前記遊技機で遊技する前記会員属性情報を収集し、前記広告情報記憶部に記録された前記広告対象属性情報と前記会員属性情報が一致した場合に、前記遊技機に設けられた前記情報表示部に前記広告情報を表示すること、
を特徴とし、
前記管理コンピュータには、さらに会員が景品を交換する景品交換機が接続され、
前記管理コンピュータは、前記景品交換機から会員番号と会員が交換した景品情報を収集し、交換した景品とその景品数及び交換日を記憶する景品交換実績が記憶されていること、
を特徴とし、
前記制御部では、前記会員情報記憶部に記憶されている前記広告表示実績から過去に会員に表示した複数の広告情報の各広告情報の表示回数と、前記会員情報記憶部に記憶されている景品交換実績から、過去の予め定められた一定期間毎に広告情報の回数に対して交換実績の比率を計算し、交換実績の比率の変化が高くなっている広告情報の表示回数を増加させて優先的に表示すること、
を特徴とする広告情報提供システム。
【請求項５】
遊技機近傍に備えられた情報を表示する情報表示部と、
会員属性記憶媒体から会員属性情報を読取る会員情報読取部と、
登録された会員属性と会員に関する情報を記憶する会員情報記憶部と、
広告情報と広告主がターゲットとする広告対象属性と広告効果実績を記憶する広告情報記憶部と、
前記遊技機と前記情報表示部と前記会員情報読取部に接続され、前記会員情報記憶部と広告情報記憶部と制御部を備えた管理コンピュータと、
から構成され、
前記制御部は、前記遊技機で会員が遊技を開始したことを検知し、前記会員情報読取部から前記遊技機で遊技する前記会員属性情報を収集し、前記広告情報記憶部に記録された前記広告対象属性情報と前記会員属性情報が一致した場合に、前記遊技機に設けられた前記情報表示部に前記広告情報を表示すること、
を特徴とし、
前記管理コンピュータには、さらに会員が景品を交換する景品交換機が接続され、
前記管理コンピュータは、前記景品交換機から会員番号と会員が交換した景品情報を収集し、交換した景品とその景品数及び交換日を記憶する景品交換実績が記憶されていること、
を特徴とし、
前記制御部では、前記会員情報記憶部に記憶されている前記広告表示実績から過去に会員に表示した複数の広告情報の各広告情報の表示回数と、前記会員情報記憶部に記憶されている景品交換実績から、過去の一定区間毎に広告情報の回数に対して交換実績の比率を計算し、交換実績の比率の変化が低くなっている場合は、広告主の指定する広告期間であっても当該会員に対しての前記広告情報の表示を取りやめること、
を特徴とする広告情報提供システム。
【請求項６】
前記広告情報の表示を取りやめた後の広告期間に景品交換比率が増加した場合は、再度前記広告情報を当該会員に表示すること、
を特徴とする請求項５に記載の広告情報提供システム。
【請求項７】
遊技機近傍に備えられた情報を表示する情報表示部と、
会員属性記憶媒体から会員属性情報を読取る会員情報読取部と、
登録された会員属性と会員に関する情報を記憶する会員情報記憶部と、
広告情報と広告主がターゲットとする広告対象属性と広告効果実績を記憶する広告情報記憶部と、
前記遊技機と前記情報表示部と前記会員情報読取部に接続され、前記会員情報記憶部と広告情報記憶部と制御部を備えた管理コンピュータと、
から構成され、
前記制御部は、前記遊技機で会員が遊技を開始したことを検知し、前記会員情報読取部から前記遊技機で遊技する前記会員属性情報を収集し、前記広告情報記憶部に記録された前記広告対象属性情報と前記会員属性情報が一致した場合に、前記遊技機に設けられた前記情報表示部に前記広告情報を表示すること、
を特徴とし、
前記管理コンピュータには、さらに会員が景品を交換する景品交換機が接続され、
前記管理コンピュータは、前記景品交換機から会員番号と会員が交換した景品情報を収集し、交換した景品とその景品数及び交換日を記憶する景品交換実績が記憶されていること、
を特徴とし、
前記制御部は、前記遊技機で会員が遊技を開始したことを検知し、前記会員情報読取部から前記遊技機で遊技する前記会員属性情報を収集し、前記広告情報記憶部に記録された前記広告対象属性情報と前記会員属性情報が一致する広告情報が無い場合には、全ての広告情報を表示し、
前記会員が、表示した商品ＩＤの広告情報に対応する景品を交換した場合は、前記商品ＩＤの前記広告対象属性に前記会員の会員属性を追加すること、
を特徴とする広告情報提供システム。